【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
インクを吐出する複数のノズルを所定方向に配列したノズル列を備えた記録ヘッドを前記所定方向と交差する走査方向に往復走査させて記録を行う記録装置の制御方法であって、
前記ノズル列の一部分の連続した複数のノズルからインクを吐出させて記録媒体に第１のドットパターンを記録する第１の記録工程と、
前記第１の記録工程の後に前記記録媒体を前記ノズル列の一部分の連続した複数のノズルの幅分前記所定方向に前記記録媒体を搬送する搬送工程と、
前記搬送工程の後に前記ノズル列の一部分の連続した複数のノズルからインクを吐出させて前記記録媒体に第２のドットパターンを記録する第２の記録工程と、
光学センサにより前記第１のドットパターンと前記第２のドットパターンとからなる画像の前記所定方向に関する信号値を取得する工程と、
前記信号値に基づいて、前記ノズル列の一部分の連続した複数のノズルのうち吐出不良となっているノズルが発生しているかを判断する工程と、を有することを特徴とする記録装置の制御方法。
【請求項２】
インクを吐出する複数のノズルを所定方向に配列したノズル列を備えた記録ヘッドを前記所定方向と交差する走査方向に往復走査させて記録を行う記録装置の制御方法であって、
前記ノズル列の一部分の連続した複数のノズルからインクを吐出させて記録媒体に第１のドットパターンを記録する第１の記録工程と、
前記第１のドットパターンの、前記所定方向の少なくとも一方に隣接するように、前記ノズル列の一部分の連続した複数のノズルからインクを吐出させて前記記録媒体に第２のドットパターンを記録する第２の記録工程と、
光学センサにより前記第１のドットパターンと前記第２のドットパターンとからなる画像の前記所定方向に関する信号値を取得する工程と、
前記信号値に基づいて、前記ノズル列の一部分の連続した複数のノズルのうち吐出不良となっているノズルが発生しているかを判断する工程と、を有することを特徴とする記録装置の制御方法。
【請求項３】
前記第１の記録工程を行う前に、前記ノズル列の一部分の連続した複数のノズルを用いて往方向に走査させながら記録した第１の調整パターンと、前記第１の調整パターンの記録後記録媒体を搬送させることなく前記ノズル列の一部分の連続した複数のノズルを用いて復方向に走査させながら記録した第２の調整パターンとを用いて、記録位置調整を行う調整工程をさらに有することを特徴とする請求項１または２に記載の記録装置の制御方法。
【請求項４】
前記第１のドットパターンと前記第２のドットパターンとは、前記ノズル列の一部分の連続した複数のノズルの全てを使用して記録することを特徴とする請求項１乃至３のいずれか１項に記載の記録装置の制御方法。
【請求項５】
インクを吐出する複数のノズルを所定方向に配列した第１のノズル列と、当該第１のノズル列と前記所定方向に関する位置が一致するように設けられ、インクを吐出する複数のノズルを前記所定方向に配列した第２のノズル列とを備えた記録ヘッドを前記所定方向と交差する走査方向に往復走査させて記録を行う記録装置の制御方法であって、
前記第１のノズル列の一部分の連続した複数のノズルからインクを吐出させて記録媒体に第１のドットパターンを記録する第１の記録工程と、
前記第１の記録工程の後に前記記録媒体を前記第１のノズル列の一部分の連続した複数のノズルの幅分前記所定方向に前記記録媒体を搬送する搬送工程と、
前記搬送工程の後に、前記所定方向に関して前記第１のノズル列の一部分の複数のノズルと同位置の前記第２のノズル列の一部分の複数のノズルからインクを吐出させて前記記録媒体に第２のドットパターンを記録する第２の記録工程と、
光学センサにより前記第１のドットパターンと前記第２のドットパターンとからなる画像の前記所定方向に関する信号値を取得する工程と、
前記信号値に基づいて、前記第１のノズル列の一部分の連続した複数のノズル及び前記第２のノズル列の一部分の連続した複数のノズルのうち吐出不良となっているノズルが発生しているかを判断する工程と、を有することを特徴とする記録装置の制御方法。
【請求項６】
インクを吐出する複数のノズルを所定方向に配列した第１のノズル列と、当該第１のノズル列と前記所定方向に関する位置が一致するように設けられ、インクを吐出する複数のノズルを前記所定方向に配列した第２のノズル列とを備えた記録ヘッドを前記所定方向と交差する走査方向に往復走査させて記録を行う記録装置の制御方法であって、
前記第１のノズル列の一部分の連続した複数のノズルからインクを吐出させて記録媒体に第１のドットパターンを記録する第１の記録工程と、
前記第１のドットパターンの前記所定方向の少なくとも一方に隣接するように、前記所定方向に関して前記第１のノズル列の一部分の複数のノズルと同位置の前記第２のノズル列の一部分の複数のノズルからインクを吐出させて前記記録媒体に第２のドットパターンを記録する第２の記録工程と、
光学センサにより前記第１のドットパターンと前記第２のドットパターンとからなる画像の前記所定方向に関する信号値を取得する工程と、
前記信号値に基づいて、前記第１のノズル列の一部分の連続した複数のノズル及び前記第２のノズル列の一部分の連続した複数のノズルのうち吐出不良となっているノズルが発生しているかを判断する工程と、を有することを特徴とする記録装置の制御方法。
【請求項７】
前記第１の記録工程を行う前に、前記第１のノズル列の一部分の連続した複数のノズルを用いて往方向に走査させながら記録した第１の調整パターンと、前記第１の調整パターンの記録後記録媒体を搬送させることなく前記前記第２のノズル列の一部分の連続した複数のノズルを用いて往方向に走査させながら記録した第２の調整パターンとを用いて、記録位置調整を行う調整工程をさらに有することを特徴とする請求項５または６に記載の記録装置の制御方法。
【請求項８】
インクを吐出する複数のノズルを所定方向に配列したノズル列を備えた記録ヘッドを前記所定方向と交差する走査方向に往復走査させて記録を行う記録装置の制御方法であって、
前記ノズル列の一方の端部側の連続した複数のノズルからインクを吐出させて記録媒体に第１のドットパターンを記録する第１の記録工程と、
前記第１のドットパターンの前記所定方向の少なくとも一方に隣接するように、前記ノズル列の他方の端部側の連続した複数のノズルからインクを吐出させて前記記録媒体に第２のドットパターンを記録する第２の記録工程と、
光学センサにより前記第１のドットパターンと前記第２のドットパターンとからなる画像の前記所定方向に関する信号値を取得する工程と、
前記信号値に基づいて、前記ノズル列の一部分の連続した複数のノズルのうち吐出不良となっているノズルが発生しているかを判断する工程と、を有することを特徴とする記録装置の制御方法。
【請求項９】
前記第１の記録工程を行う前に、前記第１のノズル列の一方の端部側の連続した複数のノズルを用いて記録した第１の調整パターンと、前記前記第２のノズル列の一部分の連続した複数のノズルを用いて走査させながら前記第１の調整パターンと同じ位置に記録した第２の調整パターンとを用いて、記録位置調整を行う調整工程をさらに有することを特徴とする請求項８に記載の記録装置の制御方法。
【請求項１０】
前記ノズル列の複数のノズルは、前記所定方向に一定の間隔で配列されていることを特徴とする請求項１乃至９のいずれか１項に記載の記録装置の制御方法。
【請求項１１】
前記第１の記録工程は前記記録ヘッドを往方向に走査させながら行われ、前記第２の記録工程は前記記録ヘッドを復方向に走査させながら行われることを特徴とする請求項１乃至１０のいずれか１項に記載の記録装置の制御方法。
【請求項１２】
前記第１の記録工程と前記第２の記録工程とは、前記記録ヘッドを同じ方向に走査させながら行われることを特徴とする請求項１乃至１０のいずれか１項に記載の記録装置の制御方法。
【請求項１３】
前記光学センサで取得される信号値は、輝度、反射濃度、もしくはＬ＊ａ＊ｂ＊標識系のいずれかであることを特徴とする請求項１乃至１２のいずれか１項に記載の記録装置の制御方法。
【請求項１４】
前記判断する工程で所定の数以上のノズルが吐出不良となっていると判断された場合に、前記記録ヘッドの回復処理を行うように制御する制御工程をさらに有することを特徴とする請求項１乃至１３のいずれか１項に記載の記録装置の制御方法。
【手続補正２】
【補正対象書類名】明細書
【補正対象項目名】発明の名称
【補正方法】変更
【補正の内容】
【発明の名称】記録装置の制御方法
【手続補正３】
【補正対象書類名】明細書
【補正対象項目名】０００１
【補正方法】変更
【補正の内容】
【０００１】
本発明は、記録ヘッドよりインクを吐出されて記録を行う記録装置の制御方法に関する。
【手続補正４】
【補正対象書類名】明細書
【補正対象項目名】０００８
【補正方法】変更
【補正の内容】
【０００８】
本発明は、インクを吐出する複数のノズルを所定方向に配列したノズル列を備えた記録ヘッドを前記所定方向と交差する走査方向に往復走査させて記録を行う記録装置の制御方法であって、前記ノズル列の一部分の連続した複数のノズルからインクを吐出させて記録媒体に第１のドットパターンを記録する第１の記録工程と、前記第１の記録工程の後に前記記録媒体を前記ノズル列の一部分の連続した複数のノズルの幅分前記所定方向に前記記録媒体を搬送する搬送工程と、前記搬送工程の後に前記ノズル列の一部分の連続した複数のノズルからインクを吐出させて前記記録媒体に第２のドットパターンを記録する第２の記録工程と、光学センサにより前記第１のドットパターンと前記第２のドットパターンとからなる画像の前記所定方向に関する信号値を取得する工程と、前記信号値に基づいて、前記ノズル列の一部分の連続した複数のノズルのうち吐出不良となっているノズルが発生しているかを判断する工程と、を有することを特徴とする。